(57)【特許請求の範囲】
【請求項１】
上部開口を有する有底の筒状体である飲料用グラスの側面又は側面近傍に映像表示装置を固定する映像表示装置固定器具であり、
前記映像表示装置を挿入するポケット機構と、
前記上部開口の端部と接合するコの字の形状のコの字フレームとを備え、
前記ポケット機構は透明な誘電体から成り、
前記コの字フレームはその返し部分も含めて透明な材料から成り、
前記コの字フレームは前記ポケット機構の上部近傍に位置しており、
前記コの字フレームの前記返し部分が前記飲料用グラスの内面において前記映像表示装置の画像の光を遮る位置まで至ることで、前記返し部分と前記飲料用グラスの内面とに生じる摩擦に寄与する面積を増加させ、
前記上部開口の端部を前記コの字フレームに挿入することにより前記飲料用グラスの側面に前記ポケット機構が固定されることを特徴とする映像表示装置固定器具。
【請求項２】
前記コの字フレームと前記上部開口の端部の接合部に柔軟性を有する材料から成るシートを備えることを特徴とする請求項1に記載の映像表示装置固定器具。
【請求項３】
前記ポケット機構に穴を備えることを特徴とする請求項1〜2のいずれか一項に記載の映像表示装置固定器具。
【請求項４】
前記コの字フレームと前記ポケット機構が分離した独立ユニットになっており、
前記上部開口の端部を前記コの字フレームに挿入する際は前記ポケット機構の一部も一緒に挿入することを特徴とする請求項1〜3のいずれか一項に記載の映像表示装置固定器具。
【請求項５】
上部開口を有する有底の筒状体である底部フレームを備え、
前記底部フレームに前記飲料用グラスの底部と前記ポケット機構の底部を一緒に挿入することを特徴とする請求項1〜4のいずれか一項に記載の映像表示装置固定器具。
【請求項６】
前記コの字フレームが湾曲していることを特徴とする請求項1〜5のいずれか一項に記載の映像表示装置固定器具。
【請求項７】
前記コの字フレームが湾曲していないことを特徴とする請求項1〜5のいずれか一項に記載の映像表示装置固定器具。
【請求項８】
前記コの字フレームを複数備えることを特徴とする請求項1〜5のいずれか一項に記載の映像表示装置固定器具。
【請求項９】
前記映像表示装置が携帯型通信装置の一部であることを特徴とする請求項1〜8のいずれか一項に記載の映像表示装置固定器具。
【請求項１０】
請求項9に記載の映像表示装置固定器具と、
前記飲料用グラスと、
前記携帯型通信装置と、
外部のサーバーコンピュータと、
ユーザー操作検知部とを備え、
前記ユーザー操作検知部は前記携帯型通信装置の加速度センサー又はカメラセンサーの出力データに基づいてユーザーが前記飲料用グラスを移動、傾斜又は他物体へ衝突させたことを検知し、出力信号を前記外部のサーバーコンピュータに送信し、
前記外部のサーバーコンピュータは前記出力信号を受信し、その受信回数をカウントして乾杯操作累計数として記録し、ユーザーが前記乾杯操作累計数を閲覧出来ることを特徴とする遠隔地乾杯カウンターシステム。

【発明の詳細な説明】
【技術分野】
【０００１】  本発明は、映像表示装置固定器具とそれを用いた遠隔地乾杯カウンターシステムに関する。
【背景技術】
【０００２】  飲料を入れる機能以外に様々な機能を持ったグラスが開発されている。
例えば特許文献１には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
特許文献２には本願発明者が発明した飲料用演出グラスが開示されている。この飲料用演出グラスは、グラス側面に固定された映像表示装置と断面が平凸レンズの形状のグラス本体を備えており、グラス本体内部の飲料をレンズ代わりにして映像表示装置の映像を拡大するグラスである。
【先行技術文献】
【特許文献】
【０００３】
【特許文献１】特許第６４８８０４９号
【特許文献２】特許第６６７９０７６号
【発明の概要】
【発明が解決しようとする課題】
【０００４】  しかし、上記特許文献１〜２はグラス本体の側面に配置される映像表示装置を固定するための固定機構の着脱を容易に行うことが不可能である。【０００５】  本発明は上記問題を鑑み、グラス本体の側面に配置される映像表示装置を固定するための固定機構の着脱を容易に行うこと事が可能な飲料用グラス用の映像表示装置固定器具を提供することを課題とする。
また、その映像表示装置固定器具を用いた遠隔地乾杯カウンターシステムを提供することを課題とする。
【課題を解決するための手段】
【０００６】
本発明の映像表示装置固定器具は、上部開口を有する有底の筒状体である飲料用グラスの側面又は側面近傍に映像表示装置を固定する映像表示装置固定器具であり、前記映像表示装置を挿入するポケット機構と、前記上部開口の端部と接合するコの字の形状のコの字フレームとを備え、前記ポケット機構は透明な誘電体から成り、前記コの字フレームはその返し部分も含めて透明な材料から成り、前記コの字フレームは前記ポケット機構の上部近傍に位置しており、前記コの字フレームの前記返し部分が前記飲料用グラスの内面において前記映像表示装置の画像の光を遮る位置まで至ることで、前記返し部分と前記飲料用グラスの内面とに生じる摩擦に寄与する面積を増加させ、前記上部開口の端部を前記コの字フレームに挿入することにより前記飲料用グラスの側面に前記ポケット機構が固定されることを特徴とする。
また、前記コの字フレームと前記上部開口の端部の接合部に柔軟性を有する材料から成るシートを備えることを特徴とする。
また、前記ポケット機構に穴を備えることを特徴とする。
また、前記コの字フレームと前記ポケット機構が分離した独立ユニットになっており、前記上部開口の端部を前記コの字フレームに挿入する際は前記ポケット機構の一部も一緒に挿入することを特徴とする。
また、上部開口を有する有底の筒状体である底部フレームを備え、前記底部フレームに前記飲料用グラスの底部と前記ポケット機構の底部を一緒に挿入することを特徴とする。
また、前記コの字フレームが湾曲していることを特徴とする。
また、前記コの字フレームが湾曲していないことを特徴とする。
また、前記コの字フレームを複数備えることを特徴とする。
また、前記映像表示装置が携帯型通信装置の一部であることを特徴とする。
本発明の遠隔地乾杯カウンターシステムは、上記映像表示装置固定器具と、上記飲料用グラスと、上記携帯型通信装置と、外部のサーバーコンピュータと、ユーザー操作検知部とを備え、前記ユーザー操作検知部は前記携帯型通信装置の加速度センサー又はカメラセンサーの出力データに基づいてユーザーが前記飲料用グラスを移動、傾斜又は他物体へ衝突させたことを検知し、出力信号を前記外部のサーバーコンピュータに送信し、前記外部のサーバーコンピュータは前記出力信号を受信し、その受信回数をカウントして乾杯操作累計数として記録し、ユーザーが前記乾杯操作累計数を閲覧出来ることを特徴とする。
【発明の効果】
【０００７】  本発明の映像表示装置固定器具は、映像表示装置を挿入固定するためのポケット機構の上部近傍にコの字の形状のコの字フレームを備えており、飲料用グラスの上部開口の端部にそのコの字フレームを挿入することによりポケット機構を飲料用グラスに固定する事が出来る。
本発明の映像表示装置固定器具は飲料用グラスへの着脱が容易なため飲料用グラスに映像表示装置を挿入するためのポケット機構が有る状態と無い状態の２つの状態をユーザーは状況に応じて素早く切り替えられる（この際、ユーザーは飲料用グラスの飲料によって手を濡らす事は無い）。
本発明の映像表示装置固定器具で用いられるポケット機構は透明な材料から成るため、飲料用グラス側面に配置された映像表示装置の映像がその飲料用グラスの内部の飲料へ投影されるのを妨げない。
本発明の映像表示装置固定器具で用いられるポケット機構は電波を通す誘電体から成るためポケット機構に挿入中の映像表示装置が携帯電話やスマートフォン等の携帯型通信装置の場合でもその携帯型通信装置の電波を妨げる事は無い。
本発明の映像表示装置固定器具で用いられるコの字フレームは透明な材料から成るため（接合部の面積を稼ぐため）大きなサイズのコの字フレームを用いても映像表示装置の映像がグラス内の飲料へ投影されるのを妨げる事は無い（これはポケット機構とグラスの固定強度を増すには非常に有利に働く）。更にコの字フレームはポケット機構の上部近傍に位置しているため原理上はポケット機構と映像表示装置の重量に依ってポケット機構と飲料用グラスの固定強度は自然に増加する。
本発明の映像表示装置固定器具は飲料用グラスの上部開口の端部にコの字フレームを挿入して固定するため飲料用グラスを逆さまにしない限りポケット機構が飲料用グラスから脱落することは無い。そのため飲料用グラスを乾杯動作等で傾けた際も映像表示装置が飲料用グラスから脱落する事は無い。
本発明の映像表示装置固定器具を用いれば様々な形状の飲料用グラスで遠隔地乾杯回数を集計して表示する遠隔地乾杯カウンターシステムを構築出来る。
【図面の簡単な説明】
【０００８】
【図１】第１の実施の形態の映像表示装置固定器具を示す斜視図（ａ）及び断面図（ｂ）
【図２】ポケット機構の内部の映像表示装置の配置例を示す断面図（ａ）及び断面図（ｂ）
【図３】違うサイズのコの字フレームの例を示す断面図（ａ）及び断面図（ｂ）
【図４】柔軟性を有する材料から成るシートを備える例を示す断面図
【図５】コの字フレームの形状の例を示す上方断面図（ａ）及び上方断面図（ｂ）
【図６】複数のコの字フレームを備える例を示す上方断面図
【図７】ポケット機構に穴を備える例を示す斜視図（ａ）及び斜視図（ｂ）
【図８】第２の実施の形態の映像表示装置固定器具を示す斜視図
【図９】第３の実施の形態の映像表示装置固定器具を示す斜視図
【図１０】遠隔地乾杯カウンターシステムの構成を示す図
【発明を実施するための形態】
【０００９】［映像表示装置固定器具の第１の実施の形態］
以下、本発明の映像表示装置固定器具の第１の実施の形態を図面を用いて示す。
図１（ａ）に示すように、本実施の形態の映像表示装置固定器具１は映像表示装置８０を挿入して固定するためのポケット機構２と飲料用グラス１０の上部開口１１の端部を挿入するためのコの字の形状のコの字フレーム３とから概略構成される。
ポケット機構２は飲料用グラス１０の側面又は側面近傍に映像表示装置８０を支持又は固定しておくための部材である。ポケット機構２は透明な材料から成るため図１（ａ）や図１（ｂ）に示すように飲料用グラス１０側面に配置された映像表示装置８０の映像８１（或いは画像）が飲料用グラス１０の内部の飲料Ｌへ投影されるのを妨げないためこれによりユーザーＵは飲料用グラス１０越しに映像８１を視認出来る（なお、図１の破線の矢印は説明のために映像表示装置８０の映像８１の投影光の光路Ｗのイメージを表現したものである）。なお、本実施の形態では飲料用グラス１０は全て透明な材質からなる通常のグラス（例えば透明ガラス製のコップやビールジョッキ等）を想定している。図２（ａ）に示すようにポケット機構２内部の映像表示装置８０の映像表示面８２が飲料用グラス１０の内部側（あるいは飲料Ｌ側）に向いている場合でも図２（ｂ）に示すように飲料用グラス１０の外側に向いている場合でもユーザーＵは映像表示装置の映像８１を視認出来る（つまりポケット機構２を透明する事により映像表示装置８０のリバーシブル固定が可能になる）。ポケット機構２は電波を通す誘電体から成るためポケット機構２の中の映像表示装置８０が携帯電話やスマートフォン等の携帯型通信装置１００の一部の場合でもその携帯型通信装置１００の電波が妨げられる事は無い。ポケット機構２の材質としては透明なガラスやアクリル樹脂等が挙げられる（ガラスは電波を良く通す誘電体の一つ）。
コの字フレーム３はポケット機構２の上部近傍に位置しており、図１（ｂ）のように飲料用グラス１０の上部開口１１の端部にコの字フレーム３を上からに挿入することにより飲料用グラス１０の側面にポケット機構２が固定される。ポケット機構２の上部近傍にコの字フレーム３が位置しているためポケット機構２と映像表示装置８０の重量によりコの字フレーム３は常に下方向の力が働くためポケット機構２と飲料用グラス１０の固定強度は自然に増す。図３（ａ）と図３（ｂ）に示されるようにコの字フレーム３のサイズを大きくする程コの字フレーム３と上部開口１１の端部の接合部６（つまりコの字フレーム３と上部開口１１の端部の摩擦に寄与する面積）も増加するため飲料用グラス１０にポケット機構２をより強固に固定出来る（つまり図３（ａ）よりも図３（ｂ）の方がコの字フレーム３の固定の強度は強い）。コの字フレーム３の固定の強度を強くするにはコの字フレーム３は可能な限り大きなサイズが望ましい。但し大きなサイズのコの字フレーム３を用いると図３（ｂ）のようにコの字フレーム３の返し部分５により映像表示装置８０の映像８１の光路Ｗが遮られてしまうという問題が起こる。この問題を解決するにはコの字フレーム３を透明な材料から成るようにすれば良い。これにより接合部６の面積サイズつまり飲料用グラス１０とポケット機構２の固定強度を必要なだけ強くする事が可能になる。コの字フレーム３の材質としては透明なガラスやアクリル樹脂等が挙げられる。なお、必要な場合はコの字フレーム３もポケット機構２と同じく材料を誘電体にしても良い。
なお、映像表示装置固定器具１はコの字フレーム３とポケット機構２を一体化した物を一体成型により鋳造した物を用いても良いし、コの字フレーム３とポケット機構２を別々の独立ユニットとして製造しておきその両者をネジ機構や接着剤等で一体化させた物を用いても良い。
【００１０】  本発明の映像表示装置固定器具１は飲料用グラス１０の上部開口１１の端部にコの字フレーム３を挿入するだけでポケット機構２を飲料用グラス１０に固定出来る。そのためユーザーＵは容易に飲料用グラス１０にポケット機構２が有る状態と無い状態を素早く切り替えられる。また、飲料用グラス１０の上部開口１１の端部からコの字フレーム３を外す際はユーザーＵはコの字フレーム３を掴んで真上に引っぱるだけで良い。ユーザーＵはポケット機構２の着脱時に飲料Ｌにより手が濡れる事は無い。
本発明の映像表示装置固定器具１はポケット機構２とコの字フレーム３共に透明なため透明なグラスに取り付けてもそのグラスの透明性と審美性を損なう事は無い。
本発明の映像表示装置固定器具１は飲料用グラス１０の上部開口１１の端部にコの字フレーム３を挿入して固定するため飲料用グラス１０を逆さまにしない限りポケット機構２が飲料用グラス１０から脱落することは無い。そのため飲料用グラス１０を乾杯動作等で傾けた際もポケット機構２と映像表示装置８０が飲料用グラス１０から脱落する事は無い。
【００１１】  図４（ａ）又は図４（ｂ）のように飲料用グラス１０の上部開口１１の端部にコの字フレーム３を挿入して固定する際に、コの字フレーム３と上部開口１１の端部の接合部６に柔軟性を有する材料から成るシート４を挟み込んで固定しても良い。シート４は柔軟性を有しているため飲料用グラス１０の上部開口１１の端部がコの字フレーム３により傷ついたり破損したりする事を防げる。また、シート４が変形する事により様々な厚さのガラスから成る飲料用グラス１０に対応できる。シート４は柔軟性を有しているためコの字フレーム３と上部開口１１の端部の接合部６の摩擦を強くする事が可能であり、その結果飲料用グラス１０と映像表示装置固定器具１（又はポケット機構２）の固定強度が増加する。
シート４の材質としてはゴムやシリコンゴム等が挙げられる。なお、シート４は透明な材料にしても良く、これにより映像表示装置８０の映像８１が飲料用グラス１０の内部の飲料Ｌへ投影するのを妨げ無いようにする事が可能である。
【００１２】  図５（ｂ）に示すように上部開口１１の（上部方向から見た）端部が湾曲している形状の飲料用グラス１０の場合は、コの字フレーム３も湾曲した物を用いれば良い。図５（ａ）のように上部開口１１の（上部方向から見た）端部が湾曲していない形状の飲料用グラス１０の場合は湾曲していない（つまり直線の通常の）コの字フレーム３を用いれば良い。コの字フレーム３と上部開口１１の端部の形状を合わせる（つまり両者の曲率半径を揃える）事によりコの字フレーム３と上部開口１１の端部の接合部の強度が増す。なお、図６のように複数のコの字フレーム３を用いても良い。コの字フレーム３を複数にする事によりコの字フレーム３が一つの場合に比して固定強度が増す。
図７（ａ）又は図７（ｂ）に示すようにポケット機構２に穴７を設けても良い。こうする事によりポケット機構２の内部の映像表示装置８０のボタン又はタッチパネルを押下操作できるようになる。また、穴７は飲料用グラス１０側に設けても良い（こうする事により飲料用グラス１０が結露した際にユーザーは素早くそれを拭き取る事が出来る）。
【００１３】［映像表示装置固定器具の第２の実施の形態］
以下、本発明の映像表示装置固定器具の第２の実施の形態を図面を用いて示すが、上記第１の実施の形態の映像表示装置固定器具１と同一の構成となる箇所については同一の符号を付してその説明を省略する。
本実施の形態の映像表示装置固定器具１では、図８のようにコの字フレーム３とポケット機構２が分離しており、上部開口１１の端部をコの字フレーム３に挿入する際はポケット機構２の一部も一緒に挿入する（つまりポケット機構２の一部も上部開口１１の端部と一緒に固定される形態になる）。これにより飲料用グラス１０とポケット機構２は一体化する。この方式はコの字フレーム３とポケット機構２が分離した独立ユニットになっているためユーザーは様々な形状のポケット機構２を交換可能になるというメリットを有する。
但し一つ注意点が有り、本実施の形態の映像表示装置固定器具１はコの字フレーム３とポケット機構２が分離している為、重量の有る映像表示装置８０をポケット機構２に挿入すると重力によりコの字フレーム３とポケット機構２が分離してしまいポケット機構２が脱落する危険性が有る点には注意しなければならない。そのため重量の有る映像表示装置８０を使用する事が予想される場合は上記第１の実施の形態の映像表示装置固定器具を用いた方が良い。
【００１４】［映像表示装置固定器具の第３の実施の形態］
以下、本発明の映像表示装置固定器具の第３の実施の形態を図面を用いて示すが、上記第１の実施の形態の映像表示装置固定器具１と同一の構成となる箇所については同一の符号を付してその説明を省略する。
本実施の形態の映像表示装置固定器具１では、図９のように上部開口を有する有底の筒状体である底部フレーム８を備え、底部フレーム８に飲料用グラス１０の底部とポケット機構２の底部を一緒に挿入することを特徴とする。底部フレーム８に飲料用グラス１０の底部とポケット機構２の底部を一緒に挿入することにより飲料用グラス１０とポケット機構２が底部フレーム８を介して固定されるため、飲料用グラス１０とポケット機構２（つまり映像表示装置固定器具１）の固定強度の強化が図れる。底部フレーム８は特に飲料用グラス１０とポケット機構２の底部近傍の結合（又は固定強度）を強くするのに役に立つ。なお、底部フレーム８の脱落防止のために底部フレーム８かポケット機構２の底部に係止かストッパー機構（マグネット機構等）を備えても良い。
【００１５】［遠隔地乾杯カウンターシステムの実施の形態］
以下、本発明の遠隔地乾杯カウンターシステムの実施の形態について説明する。上記各実施の形態の映像表示装置固定器具と同一の構成となる箇所については同一の符号を付してその説明を省略する。
携帯電話やスマートフォン等の携帯型通信装置の殆どの機種は加速度センサーやカメラセンサーを内蔵している。加速度センサーは同センサーが内蔵されている物体の加速度に基づいて、物体の移動量、傾斜量、他物体への衝突の有無を取得出来る。カメラセンサーも画像解析により物体の移動量、傾斜量、他物体への衝突の有無を取得出来る。そこで本実施の形態の遠隔地乾杯カウンターシステムでは図１０に示すように本発明の映像表示装置固定器具１と飲料用グラス１０と携帯型通信装置１００と外部のサーバーコンピュータ２００とユーザー操作検知部１０２とを備える。
携帯型通信装置１００のセンサー１０１（加速度センサーやカメラセンサー等）からの信号を元に飲料用グラス１０に対するユーザー操作（他の飲料用グラス３００への衝突や傾斜操作等）をユーザー操作検知部１０２にて検知して遠隔地のサーバーコンピュータ２００等に送信する。図１０に示すように、遠隔地のサーバーコンピュータ２００が受信回数をカウントしてそれを乾杯操作累計数として記録して、閲覧や公開出来るようにする事により遠隔地乾杯カウンターシステムを得ることができる。
なお、ユーザー操作検知部１０２は映像表示装置固定器具１に取り付けられた専用ＩＣチップ内部に実装しても良いし、外部のサーバーコンピュータや携帯型通信装置１００に実装しても構わない。
【産業上の利用可能性】
【００１６】  本発明は、飲料用グラスへの着脱が容易な映像表示装置固定器具であるため飲料用グラスに映像表示装置を挿入するためのポケット機構が有る状態と無い状態の２つの状態をユーザーは状況に応じて素早く切り替えられる。また、飲料用グラスとの接合に用いるコの字フレーム部は透明なため大型化が可能でありこれにより飲料用グラスとポケット機構の固定強度を高める事が出来、更にポケット機構と映像表示装置自身の重量により自然に固定強度が強くなる構成のためポケット機構と飲料用グラスが意図せず分離する事は無くグラスの傾斜動作又は乾杯動作もスムーズに行える。以上より本発明は産業上の利用可能性を有する。
【符号の説明】
【００１７】Ｌ  飲料（液体）
Ｕ  ユーザー
Ｗ  光路（映像の投影光の光路）
１  映像表示装置固定器具
２  ポケット機構
３  コの字フレーム
４  シート
５  返し部分
６  接合部
７  穴
８  底部フレーム
１０  飲料用グラス
１１  上部開口
８０  映像表示装置
８１  映像
８２  映像表示面
１００  携帯型通信装置
１０１  センサー（加速度センサー、カメラセンサー）
１０２  ユーザー操作検知部
２００  サーバーコンピュータ
３００  他の飲料用グラス
【要約】
【課題】  本発明はグラス本体の側面に配置される映像表示装置を固定するための固定機構の着脱を容易に行うこと事が可能な飲料用グラス用の映像表示装置固定器具及び遠隔地乾杯カウンターシステムを提供することを課題とする。
【解決手段】  本発明の映像表示装置固定器具は上部開口を有する有底の筒状体である飲料用グラスの側面又は側面近傍に映像表示装置を固定する映像表示装置固定器具であり、
前記映像表示装置を挿入するポケット機構と、前記上部開口の端部と接合するコの字の形状のコの字フレームとを備え、前記ポケット機構は透明な誘電体から成り、前記コの字フレームは前記ポケット機構の上部近傍に位置しており、前記コの字フレームは透明な材料から成り、前記上部開口の端部を前記コの字フレームに挿入することにより前記飲料用グラスの側面に前記ポケット機構が固定されることを特徴とする。
【選択図】図１【図１】
0006919944.tif 000002
【図２】
0006919944.tif 000003
【図３】
0006919944.tif 000004
【図４】
0006919944.tif 000005
【図５】
0006919944.tif 000006
【図６】
0006919944.tif 000007
【図７】
0006919944.tif 000008
【図８】
0006919944.tif 000009
【図９】
0006919944.tif 000010
【図１０】
0006919944.tif 000011